(57)【要約】【課題】定置型や吊下げ型等の設置構造の如何を問わずに電灯に装着できるとか、取外しや交換が可能になるといった便利さを備えた扱い易いランプシェード並びにそれ用のフレームを実現して提供する点にある。また、頻繁に交換する煩わしさなく花を長期に亘って装飾具として維持可能となるランプシェードを得ることも目的とする。【解決手段】電球Ｌやソケット４に対する装着部３と装飾具２を係着させる係着部５とを有するフレーム１を透光性を有する材料で形成するとともに、装飾具２としてプリザーブドフラワーを用いることで耐久性のある花柄のランプシェードＡを構成する。【選択図】図１
2009070785.tif 000002
【特許請求の範囲】
【請求項１】
電灯又は電灯支持具に装着させるための装着部を有するとともに、前記装着部の近傍又は周囲の位置に装飾具が配備されて成るランプシェード。
【請求項２】
前記装飾具を係着させる係着部及び前記装着部を有するフレームが設けられており、前記フレームが透光性を有する材料を用いて形成されている請求項１に記載のランプシェード。
【請求項３】
前記装飾具が、プリザーブドフラワー或いはドライフラワーである請求項１又は２に記載のランプシェード。
【請求項４】
電灯又は電灯支持具に装着させるための装着部と、装飾具を係着させるべく前記装着部の周辺に配備される係着部と、を有して成るランプシェード用フレーム。
【請求項５】
前記係着部が透光性を有する材料で形成されている請求項４に記載のランプシェード用フレーム。
【請求項６】
保形性を有する網状体を用いて形成されている請求項４に記載のランプシェード用フレーム。
【請求項７】
前記装着部が環状の弾性材で形成され、前記係着部が前記弾性材に支持される保形性を有さない網状体で形成されている請求項４又は５に記載のランプシェード用フレーム。
【発明の詳細な説明】
【技術分野】
【０００１】
本発明は、電球や蛍光灯等による照明器具に用いられるランプシェード、並びにランプシェード用フレームに関するものである。
【背景技術】
【０００２】
マンション、ビル、戸建住宅、商店、レストラン等の室内や室外の電灯は、単なる光源としてだけでなく、インテリアとして重要な役割を担っているものが増えてきている。シャンデリアやデザインライト等、種々の見栄えのする灯りが提供されている。その中の一つの手段として、ランプシェードがある。
【０００３】
従来のランプシェードは、特許文献１において開示されたものや、特許文献２において開示されたものが知られている。前者のランプシェードは、光源に被さる多数の孔付設置台と、その台に装着される花とから成り、床等の室内の底面に載置される電灯に対して装備される定置型のものである。後者のランプシェードは、針金を用いて籠状に構成されたシェード枠に不織布や紙を被せて成るものであり、これもやはり定置型のものである。
【０００４】
近年の生活環境の向上や生活の質を高める気運においては、室内の天井壁や側壁に取り付けられたり吊下げられたりする一般的な照明器具にも容易に適用できるランプシェードや、取付や取外しが可能であって取扱い性や汎用性の良い使い易いランプシェードが要求されてきている。
【０００５】
また、特許文献１にて開示されるランプシェードでは、光源に照らされる装飾具として生花を用いており、当初は見た目に綺麗でインテリアにもなる好ましいものが提供されているが、装飾具が生花では短期間に枯れてしまい、その枯れた後の芳しくない状態が往々にして晒され易いとか、美しい状態を保つには頻繁に生花の交換が必要であってメンテナンスが面倒になる面もあった。
【特許文献１】特開平１０−２６９８１２号公報
【特許文献２】特開平０７−１３０２１１号公報
【発明の開示】
【発明が解決しようとする課題】
【０００６】
本発明の目的は、更なる研究や工夫により、定置型や吊下げ型等の設置構造の如何を問わずに電灯に装着できるとか、取外しや交換が可能になるといった便利さを備えた扱い易いランプシェード並びにそれ用のフレームを実現して提供する点にある。また、頻繁に交換する煩わしさなく花を長期に亘って装飾具として維持可能となるランプシェードを得ることも目的である。
【課題を解決するための手段】
【０００７】
請求項１に係る発明は、ランプシェードにおいて、電灯又は電灯支持具に装着させるための装着部３を有するとともに、前記装着部３の近傍又は周囲の位置に装飾具２が配備されて成ることを特徴とするものである。
【０００８】
請求項２に係る発明は、請求項１に記載のランプシェードにおいて、前記装飾具２を係着させる係着部５及び前記装着部３を有するフレーム１が設けられており、前記フレーム１が透光性を有する材料を用いて形成されていることを特徴とするものである。
【０００９】
請求項３に係る発明は、請求項１又は２に記載のランプシェードにおいて、前記装飾具２が、プリザーブドフラワー或いはドライフラワーであることを特徴とするものである。
【００１０】
請求項４に係る発明は、ランプシェード用フレームにおいて、電灯又は電灯支持具に装着させるための装着部３と、装飾具２を係着させるべく前記装着部３の周辺に配備される係着部５と、を有して成ることを特徴とするものである。
【００１１】
請求項５に係る発明は、請求項４に記載のランプシェード用フレームにおいて、前記係着部５が透光性を有する材料で形成されていることを特徴とするものである。
【００１２】
請求項６に係る発明は、請求項４に記載のランプシェード用フレームにおいて、保形性を有する網状体を用いて形成されていることを特徴とするものである。
【００１３】
請求項７に係る発明は、請求項４又は５に記載のランプシェード用フレームにおいて、前記装着部３が環状の弾性材１１で形成され、前記係着部５が前記弾性材１１に支持される保形性を有さない網状体１２で形成されていることを特徴とするものである。
【発明の効果】
【００１４】
請求項１の発明や請求項４の発明によれば、電灯又は電灯支持具に対する装着部を有しているので、床に置く定置型の照明や天井壁に直接取付又は吊下げられる吊下げ型等を問わずに適用させることができるとともに、点検や整備のために取外したり付替えたりすることが可能になる。その結果、定置型や吊下げ型等の設置構造の如何を問わずに電灯に装着できるとか、取外しや交換が可能になるといった便利さを備えた扱い易いランプシェード（請求項１）やランプシェード用フレーム（請求項４）を提供することができる。
【００１５】
請求項２の発明や請求項５の発明によれば、フレームに装飾具を径着させる構成を採るので、装飾具の選択設定や交換が可能になり、ランプシェードとしての汎用性に優れるとともに、電灯等の光源の光を透光性を有するフレームを通して装飾具に照射することができるので、強度十分に構成できるフレームを有する構造としながらも、装飾具も発光させて照明機能だけでなく、インテリアとしても好ましいランプシェード（請求項２）やランプシェード用フレーム（請求項５）が実現できる利点がある。
【００１６】
請求項３の発明によれば、装飾具としてプリザーブドフラワーやドライフラワーを採用してあるので、インテリアとして好適な花を持つ照明手段としながら、その好ましい状態を比較的長期に亘って維持可能な耐久性のあるランプシェードを提供することができる。特に、プリザーブドフラワーを装飾具とした場合には、より耐久性に富む利点がある。
【００１７】
請求項６の発明によれば、網状体を用いてフレームとしてあるので、装飾具の係着が容易でありながら見た目にフレームが目立たない好ましい外観を得ることが可能になる。また、網状体であるから請求項５のものと同様に透光性も有するものとなり、請求項５の発明による前記効果も発揮可能となる付随効果も得られる合理的なランプシェード用フレームを提供することができる。
【００１８】
請求項７の発明によれば、装着部が環状の弾性材環であるから、被装着対象となる電灯等の大きさが多少ばらついても装着可能な装着汎用性に優れるとともに、装飾具を係着させる部分が保形性を有さない網状体であるから、装着部の伸びに追従して変形できるとともに、電灯等の被装着対象の形状に沿った形状にでき、被装着対象の形状が限定されないという実用上の利点大なるランプシェード用フレームが実現できている。
【発明を実施するための最良の形態】
【００１９】
以下に、本発明によるランプシェード及びランプシェード用フレームの実施の形態を、図面を参照しながら説明する。図１は実施例１の、図２は実施例２の、図３〜図５は実施例３の、図６〜図９は実施例４のそれぞれランプシェード等を示す図であり、図１０はランプシェード用フレームの別構造を示す図である。また、図１１〜図１５は、ランプシェードやフレーム、或いは装飾具の各種実施例を示す図である。
【００２０】
〔実施例１〕
実施例１によるランプシェードＡは、図１に示すように、電灯Ｌのソケット部４に着脱可能な装着部３を備えることで電灯Ｌに装着されるフレーム１と、そのフレーム１に係着される多数のプリザーブドフラワー（装飾具の一例）２とを有して構成されている。即ち、ソケット部（「電灯又は電灯支持具」の一例）４に装着させるための装着部３を有するとともに、装着部３の近傍又は周囲の位置に装飾具２が配備されて成るランプシェードＡである。尚、６は電灯Ｌの電線である。
【００２１】
フレーム１は、鋼材、アルミ合金材、ステンレス材等による針金を、例えば梯子状に編み込むことによって断面が四角を為す半円筒状の枠体に構成されており、その中央にソケット部４に外嵌係止される上下向き円筒孔状の装着部３が形成されている。フレーム１における装着部３の両脇部分を、便宜上、左アーム部１Ａ及び右アーム部１Ｂと呼ぶものとし、それら左右のアーム部１Ａ，１Ｂの外面が、プリザーブドフラワー２を係着させるための係着部５に構成されている。つまり、フレーム１は、電灯Ｌ又は電灯支持具４に着脱可能に装着させるための装着部３と、装飾具２を係着させるべく装着部３の周囲に配備される係着部５と、を有して成るランプシェード用フレームに構成されている。
【００２２】
プリザーブドフラワー２は、「長期間保存できる花」という意味を示し、人体に無害のオーガニック色素で生花を加工したものである。やわらかな質感とあざやかな色を数年間保つことができるという優れた耐久性を有している。例えば、バラ、カーネーション、あじさい等がある。また、葉等のグリーンはさまざまな種類のものが可能である。
【００２３】
プリザーブドフラワー２は、その茎２ａを紐や針金等の糸状体を用いて左右のアーム部１Ａ，１Ｂを形成する金網に結び付ける（括り付ける）ことでフレーム１に係着させてある。図１では、各アーム部１Ａ，１Ｂの外周面部分にプリザーブドフラワー２を係着させてあるが、一対の側周面部分や内周面部分に係着させても良い。また、金網を用いたフレーム１の形状を、断面が円形や楕円形を為す半円筒状の枠体に構成しても良いし、雨傘状のものや、平面視で複数（多数）のスポーク状を呈する構成でも良い。
【００２４】
このように、装飾具としてプリザーブドフラワー２を用いているので、生花で電灯を覆うように飾り付けて目に優しいソフトで、かつ、インテリアにもなる光源になるとともに、その好ましい状態を比較的長期に亘って維持できる耐久性もある生花利用のランプシェードＡが実現できている。そして、装着部３がソケット部４に着脱可能であるから、ランプシェードＡを場所の異なる電灯のソケット部に付替えたり、異なる形状や色調、或いは大きさのランプシェードに付替えることができて、実用上で大変便利なものとなっている。
【００２５】
また、針金を用いてフレーム１を網状体に構成してあるので、十分な保形性を有しながらも電灯Ｌの光をプリザーブドフラワー２に直接照射することができ、色つきの花柄に光る透過光を発するものとなっている。つまり、実施例１によるランプシェードＡにおいては、装着部３及びプリザーブドフラワー２を係着させる係着部５を有するフレーム１が、透光性を有する材料を用いて形成されていると言うことができる。
【００２６】
〔実施例２〕
実施例２によるランプシェードＡは、図２に示すように、実施例１のランプシェードＡにおけるフレーム１を、金網製に代えて合成樹脂によるスポンジ（又はスポンジ状体）製としたものである。この変更により、装飾具としてのプリザーブドフラワー２は、その茎部分２ａを突き刺すだけの簡単な操作で左右のアーム部１Ａ，１Ｂ、即ちフレーム１に係着させることができる便利なものとなっている。この場合でも装着部３はソケット部４に着脱可能に装備される。
【００２７】
〔実施例３〕
実施例３によるランプシェードＡは、図３〜図５に示すように、装着３及び係着５を有するとともに、雨傘状のものであって実施例１のものと同様な針金を用いて成る金網状のフレーム（ランプシェード用フレーム）１、並びに装飾具としての多数のプリザーブドフラワー２を備えるものに構成されている。
【００２８】
フレーム１は、図３に示すように、電灯（電球）のソケット部（図示省略）に挿通して装着する装着孔３ａを有して成る網目円筒状の装着部３と、その装着部３から放射線状に側方下方に延びる複数の縦桟７及び同心円状で複数の横桟８とで成る係着部５とを有して構成されている。つまり、フレーム１は保形性を有する網状体で構成されている。
【００２９】
プリザーブドフラワー２のフレーム１への係着例としては、図４に示すように、プリザーブドフラワー２の茎部分２ａを紐状体を用いて縦桟７と横桟８との交わり部９に括り付ける（結ぶ）構造が挙げられる。この場合の係着部５は、正確には交わり部９と言うことができる。尚、係着の手段としては、茎部分２ａを突き刺して係止可能なスポンジブロックを各交わり部９、或いは縦桟７や横桟８に設ける構成も可能である。
【００３０】
ランプシェードＡの装着例としては、図５に示すように、天井壁１０から垂下されている電灯（図示省略）又はそのソケット部等の支持具に装着部３を被せて固定する手段がある。この雨傘状のランプシェードＡでは、側面視（図５）では部分的にフレーム１が見える可能性はあるが、ほぼプリザーブドフラワー２のみが見えるものとなっており、インテリアとしてうってつけのランプシェードＡが構築されている。
【００３１】
〔実施例４〕
実施例４によるランプシェードＡは、図６〜図９に示すように、装飾具２で電灯を覆い尽す構造のものである。フレーム１は、図６に示すように、ゴム輪１１と、これに支持される樹脂ネット（合成樹脂ネット）１２とで構成されている。樹脂ネット１２は、縦樹脂紐１３と横樹脂紐１４とを編み込んで成るものであり、各樹脂紐１３，１４の端がゴム輪１１に係止支持されている。
【００３２】
装飾具２としては、プリザーブドフラワー１５や葉（プリザーブドリーブ）１６を用いており、いずれもそれらの茎部分（図示省略）を、紐や針金を用いて縦樹脂紐１３や横樹脂紐１４、或いはそれらが交わる交差部位１７に括り付けることで樹脂ネット１２に係着されている。このように、樹脂ネット１２の全体に亘って装飾具２を飾り付けることにより、ランプシェードＡが構成されている。
【００３３】
実施例４のランプシェードＡの電灯Ｌへの装着方法は、図８に示すように行う。即ち、電灯Ｌは、天井壁１０に固定される取付部１７と、この取付部１７より大径であって電球や蛍光灯等の発光源を内装する発光部１８と、を有して構成されているタイプである。従って、ランプシェードＡを装着するには、ゴム輪１１を引張って拡径させた状態にして発光部１８をやり過ごし、取付部１７に弾性締付けされることで装着する。つまり、ゴム輪（環状の弾性材の一例）１１が装着部３を構成しており、係着部５がゴム輪３に支持される保形性を有さない網状体で形成されている、というランプシェードＡである。
【００３４】
図９にランプシェードＡの電灯Ｌへの装着状態が示されており、電灯Ｌの表面がプリザーブドフラワー１５や葉１６で埋め尽くされたような状態の照明器具が形成されている。この構成では、ほぼ全部が装飾具２を通過した透過光ｒとして照射されるので、間接照明に似たような柔らかで、かつ、装飾具がライトアップされるインテリアとして好都合な灯りを提供できるものとなっている。ゴム輪１１を採用してあるので、ランプシェードＡの電灯Ｌへの着脱が可能（自在）であり、また被装着部の大きさが同じような電灯であれば、他の電灯にも付け替え自在な汎用性もある。
【００３５】
〔実施例５〕
実施例５によるランプシェードＡは、図１１（ａ）に示すように、透明のアクリル板による前後傾斜側壁２１，２１と左右傾斜側壁２２，２２と、天井壁２３とによる下拡がり５面体状の傘フレーム（ランプシェード用フレーム）１を有して構成されている。各傾斜側壁２１，２２には、プリザーブドフラワー２を差し込んで据え付けるための貫通孔２４（係着部５の一例）が多数形成されており、天井壁２３には電灯Ｌの吊下げ体兼用の電線６を通し、かつ、ソケット部４は通さない装着用孔２５（装着部３の一例が形成されている。
【００３６】
そして、図１１（ｂ）に示すように、プリザーブドフラワー２を、その茎部２ａを貫通孔２４に差し込んで前後左右の傾斜側壁２１，２２に係着して行くことにより、各傾斜側壁２１，２２に花（プリザーブドフラワー）２が盛り付けされて透過光を発する透光型のランプシェードＡが構成される。図１１（ｂ）は、プリザーブドフラワー２の盛り付け途中状態を示している。さて、図１１（ａ）では、天井壁２３の装着用孔２５は電線用の小さな孔であって、電灯Ｌの取付前に予め傘フレーム１を（ランプシェードＡを）通しておく構造のものであるが、図１１（ｂ）に示すように、ランプシェードＡを電灯Ｌの取付後に装備できる後付け手段Ｄを設けても良い。
【００３７】
後付け手段Ｄは、例えば図１２に示すように、電灯Ｌの最大径を上回る径を有する大径段付孔２６を天井壁２３に形成し、その大径段付孔２６に嵌合する逆段付外周を有する一対の半円弧板２７，２７を設けて構成される。半円弧板２７の中心部には、電線６を通すための凹入溝２７ａが形成されている。つまり、図１２（ａ）に示すように、電灯Ｌを大径段付孔２６に通すようにして傘フレーム１（又はランプシェードＡ）を上方に持上げ移動し、その状態で一対の半円弧板２７，２７を電線６を挟み込むように当接又は近接させて円形部材を為し、その一対の半円弧板２７，２７を持上げ移動させて大径段付孔２６に嵌め入れる。
【００３８】
それから傘フレーム１（又はランプシェードＡ）を下方移動させることにより、図１２（ｂ）に示すように、ソケット部４が一対の半円弧板２７，２７に下方から当接し、かつ、一対の半円弧板２７，２７が大径段付孔２６を介して天井壁２３に下方から当接することにより、傘フレーム１（又はランプシェードＡ）を電灯Ｌに後付け装着させることができる後付け手段Ｄが構成されている。つまり、半円弧板２７の大径外周部２８に、天井壁２３の大径段付孔２６における小径内周部２９が載せ付けられることにより、電線６でランプシェードＡを支持可能となっている。尚、段付構造以外に、傾斜面によって載せ付ける構造でも良い。
【００３９】
〔実施例６〕
実施例６によるランプシェードＡは、図１３に示すように、底に盛り付けられた装飾具２を照らし出す構成のものである。図１３（ａ）に示すように、透明アクリル板による底璧（シェード底）３０と前後一対の逆Ｕ字部材３１，３１と，天井壁３２とで成るフレーム１を有している。例えば透明アクリル板で成る天井壁３２には、電線６を通す挿通孔による装着部３が設けられている。
【００４０】
底璧３０には多数の挿通孔２４（係着部５の一例）が形成されており、プリザーブドフラワー２を、その茎部２ａを挿通孔２４に差し込み係着させることにより、図１３（ｂ）に示すランプシェードＡを構成することができる。この場合は花の上から光を照射するものとなるが、図示は省略するが、電灯より上に位置する天井壁にプリザーブドフラワー２等の装飾具を盛り付けることにより、電灯の直接光と花の反射光とを下方に灯光させる構造のランプシェードも可能である。
【００４１】
〔プリザーブドフラワーについて〕
本発明において用いられるプリザーブドフラワー２は、次のように作られている。図１４（ａ）に示すように、まず薬品処理された花びら２ｆの根元部分を針金４１で支えるものとし、例えば、３本の針金４１を撚って束ねることにより、図１４（ｂ）に示すように、３本の撚り針金４１によって茎に相当する部分の強度部４２を形成する。そして、束ねて強度部４２が形成されたなら、図１４（ｃ）に示すように、強度部４２に緑色のテープ４３を巻き付けて覆うことにより、実際の茎のように見える緑色した茎部分２ａが作成されるのである。
【００４２】
しかして、針金４１による茎部分２ａを有するプリザーブドフラワー２を用いれば、図１，４，７，９におけるプリザーブドフラワー２のフレーム１への係着手段としては、その茎部分２ａを構成する針金４１を用いて括り付けるようにしても良く、こうすれば係着用の針金や紐を別途用意しなくて済む利点がある。また、図２に示すスポンジフレーム１に突き刺すrに抜け出ないよう
【００４３】
また、図１４（ｃ）や図１５（ａ）に示すように、各針金又は一部の針金４１の先端を折り返して爪部４１ａを形成しておくことにより、図１４（ｂ）に示すように、例えば、図１１（ａ）に示す傾斜側壁２１，２２の孔２４（係着部５）に単に差し込むワンアクションにより、爪部４１ａが抜け止め機能を発揮されて、プリザーブドフラワー２を抜け止め状態にし得ながらも簡単操作で係着させることができる便利なものが得られている。
【００４４】
さらに、図１５（ｃ）に示すように、複数のプリザーブドフラワー２の茎部分２ａが括り付けられているフレーム１としての針金も緑色のテープで巻いて覆うことにより、ランプシェード用フレーム１自体が茎のように見えるように構成することが可能でもある。
【００４５】
〔別実施例〕
実施例４のランプシェードＡに使用されるフレーム１は、比較的上下幅の短い扁平な照明器具形成に役立つ形状のものに構成されているが、上下に幅のあるより立体的なランプシェード（図示省略）とする場合には、図１０に示すフレーム１を用いれば良い。即ち、図１０のフレーム１は、ゴム輪１１に対して縦樹脂紐１３及び横樹脂紐１４の長さを長くして、自由状態ではで明確に垂れ下がる状態の樹脂ネット１２〔図１０（ａ）参照〕が設定された構成である。この場合、図１０（ｂ）に示すように、自由状態のける樹脂ネット１２の径をゴム輪１１の径より大きく設定することが可能であるが、小さくても良い。
【００４６】
〔その他の別実施例〕
装飾具２は、ドライフラワーや生花、或いは葉、造花、その他のものが可能である。ランプシェード用フレームとしては、透明又は半透明のプラスチック（合成樹脂）を用いて透光性及び保形性のあるものを構築可能である。また、ランプシェードが比較的軽い場合には、フレーム１の装着部３を、電灯（白熱電球）の根元部のみが通過可能となる細い孔として、その電灯の螺着等によるソケットへの装着に伴ってフレーム１も装着される、という構成のものも可能である。
【図面の簡単な説明】
【００４７】
【図１】実施例１によるランプシェードの構造を示す斜視図
【図２】実施例１によるランプシェードを示す側面図
【図３】ランプシェード用フレームその２の斜視図（金網）
【図４】図３のフレームに装飾花を係着させる作用図
【図５】図３のフレームを用いたランプシェードの完成状態での側面図
【図６】ランプシェード用フレームその３の斜視図（樹脂ネット）
【図７】図６のフレームに装飾花を係着させる作用図
【図８】図６のフレームを用いたランプシェードの完成状態での斜視図
【図９】図８のランプシェードを電灯に装着した状態での側面図
【図１０】ランプシェード用フレームその４を示し、（ａ）側面図、（ｂ）平面図
【図１１】実施例５の（ａ）傘フレームと（ｂ）ランプシェード
【図１２】図１１の後付け手段を示し、（ａ）は組立作用図、（ｂ）は断面図
【図１３】実施例６の（ａ）ランプシェード用フレームと（ｂ）ランプシェード
【図１４】プリザーブドフラワーの作り方を示し、（ａ）花びらを針金で支持する作用図、（ｂ）は針金を束ねる作用図、（ｃ）は束ねた針金にテープを巻く作用図
【図１５】（ａ）はプリザーブドフラワーの茎部分先端を折り返す作用図、（ｂ）は突き刺し係着させる作用図、（ｃ）はフレームを茎に擬似させるテープ巻き作用図
【符号の説明】
【００４８】
１          フレーム
２          装飾具（プリザーブドフラワー、ドライフラワー）
３          装着部
５          係着部
１１        環状の弾性材網状体
１２        網状体
Ａ          ランプシェード
【図１】
2009070785.tif 000003
【図２】
2009070785.tif 000004
【図３】
2009070785.tif 000005
【図４】
2009070785.tif 000006
【図５】
2009070785.tif 000007
【図６】
2009070785.tif 000008
【図７】
2009070785.tif 000009
【図８】
2009070785.tif 000010
【図９】
2009070785.tif 000011
【図１０】
2009070785.tif 000012
【図１１】
2009070785.tif 000013
【図１２】
2009070785.tif 000014
【図１３】
2009070785.tif 000015
【図１４】
2009070785.tif 000016
【図１５】
2009070785.tif 000017